(57)【要約】【解決手段】給水口１４及び吐水口１６を備えた容器２２に濾過材２４及びマグネット７５・・・（マグネットユニット２５）を収納し、これらの濾過材２４及びマグネット７５・・・に給水口１４から給水した原水を通し、この原水を浄化及び活性化して吐水口１６から浄水を吐水させる浄水器において、後述するように、マグネットユニット２５のマグネット７５・・・に棒状のものを用い、これらのマグネット７５・・・を水の流れ方向に沿って縦長に配列した。【効果】マグネットに棒状のものを用い、マグネットを水の流れ方向に沿って縦長に配列したので、例えば、リング状にマグネットを配列する場合にも、１種類のマグネットで形成することができ、部品の共通化を図ることができる。この結果、部品管理の簡素化を図ることができる。【選択図】        図３
2004298664.tif 000002
【特許請求の範囲】
【請求項１】
給水口及び吐水口を備えた容器に濾過材及びマグネットを収納し、これらの濾過材及びマグネットに給水口から給水した原水を通し、この原水を浄化及び活性化して吐水口から浄水を吐水させる浄水器において、
前記マグネットは、棒状であって水の流れ方向に沿って縦長に配列したことを特徴とする浄水器。
【請求項２】
前記マグネットは、断面視で一方の半円部分をＮ極に着磁し、他方の半円部分をＳ極に着磁したことを特徴とする請求項１記載の浄水器。
【請求項３】
前記マグネット群は、前記マグネットの円筒面同士を吸着させることで、略正六角形に組合わせたことを特徴とする請求項１又は請求項２記載の浄水器。
【請求項４】
前記マグネット群を、複数個段積みしたことを特徴とする請求項１、請求項２又は請求項３記載の浄水器。
【請求項５】
段積みした上下に隣り合う前記マグネット群のうちの上部に位置するマグネット群を上部マグネット群、下部に位置するマグネット群を下部マグネット群と呼び、前記上部マグネット群を構成する個々のマグネットを上部ピース、下部マグネット群を構成する個々のマグネットを下部ピースと呼ぶときに、前記上部ピース個々に接する前記下部ピース個々の極性を逆に配列したことを特徴とする請求項１〜請求項４のいずれか１項記載の浄水器。
【発明の詳細な説明】
【０００１】
【発明の属する技術分野】
本発明は、水の浄化及び活性化をする浄水器に関する。
【０００２】
【従来の技術】
容器に濾過材を充填するとともに複数のマグネットを配列した浄水器が知られている（例えば、特許文献１参照。）。
【０００３】
【特許文献１】
特開平１０−２０２２６６号公報（第５頁、図２）
【０００４】
図１２は特開平１０−２０２２６６号公報の図２の再掲図である。
特許文献１の浄水器は、容器に濾過材を充填するとともに、複数のマグネットを配列する磁石ホルダセット２００を収納した浄水器であり、磁石ホルダセット２００を、通水孔２０１・・・（・・・は複数個を示す。以下同じ）を備えたマグネットホルダ２０２と、このマグネットホルダ２０２に配列する大型マグネット２０３・・・と、マグネットホルダ２０２に配列する中型マグネット２０４・・・と、マグネットホルダ２０２に配列する小型マグネット２０５・・・と、から構成したものである。
【０００５】
図中、２０６は大型マグネット２０３・・・を収納する第１収納部、２０７は中型マグネット２０４・・・を収納する第２収納部、２０８は小型マグネット２０５・・・を収納する第３収納部である。
【０００６】
【発明が解決しようとする課題】
しかし、上記の浄水器では、磁石ホルダセット２００を組立てる際に、マグネットホルダ２０２の第１収納部２０６に大型マグネット２０３・・・を一個ずつ配列し、第２収納部２０７に中型マグネット２０４・・・を一個ずつ配列し、第３収納部２０８に小型マグネット２０５・・・を一個ずつ配列しなければならず、磁石ホルダセット２００を組立てるのに時間がかかる。
また、大きさの違う大型マグネット２０３・・・、中型マグネット２０４・・・及び小型マグネット２０５・・・をそれぞれ用意しなければならず、部品管理が煩雑になる。
【０００７】
そこで、本発明の目的は、マグネットの配列を容易にすることができ、マグネットの共通化を図ることのできる浄水器を提供することにある。
【０００８】
【課題を解決するための手段】
上記目的を達成するために請求項１は、給水口及び吐水口を備えた容器に濾過材及びマグネットを収納し、これらの濾過材及びマグネットに給水口から給水した原水を通し、この原水を浄化及び活性化して吐水口から浄水を吐水させる浄水器において、マグネットに、棒状のものを用い、マグネットを水の流れ方向に沿って縦長に配列したことを特徴とする。
【０００９】
マグネットの配列を容易にすることができれは、浄水器の組立時間の短縮を図る上で好都合であり、組立てるマグネットの共通化を図ることのできるとすれば、部品管理を簡素化することができるので好ましいことである。
そこで、マグネットに棒状のものを用い、マグネットを水の流れ方向に沿って縦長に配列した。例えば、マグネットに棒状のものを用い、マグネットを水の流れ方向に沿って縦長に配列することで、リング状にマグネットを配列する場合にも、１種類のマグネットで形成することができ、部品の共通化を図ることができる。この結果、部品管理の簡素化を図ることができる。
【００１０】
請求項２は、マグネットを、断面視で一方の半円部分をＮ極に着磁し、他方の半円部分をＳ極に着磁したことを特徴とする。
マグネットを、断面視で一方の半円部分をＮ極に着磁し、他方の半円部分をＳ極に着磁することで、例えば、一つのマグネットのＮ極に他のマグネットのＳ極を吸着して線状に配列することができ、この線状に並べたマグネットを螺旋状にも巻付けることもできる。この結果、複数のマグネットを組合わせて扱うことができ、浄水器の組立時間の短縮を図ることができる。
【００１１】
請求項３は、マグネット群を、マグネットの円筒面同士を吸着させることで、略正六角形に組合わせたことを特徴とする。
マグネット群を、マグネットの円筒面同士を吸着させ、略正六角形に組合わせることで、複数のマグネットをマグネットのみで一体的に組立てることができる。この結果、マグネットを配列するために、例えば、部材を必要としないので、浄水器のコストの低減を図ることができる。
【００１２】
請求項４は、マグネット群を、複数個段積みしたことを特徴とする。
マグネット群を、複数個段積みすることで、水を磁気化することで活性化するエリアを容易に増やすことができる。
【００１３】
請求項５は、段積みした上下に隣り合うマグネット群のうちの上部に位置するマグネット群を上部マグネット群、下部に位置するマグネット群を下部マグネット群と呼び、上部マグネット群を構成する個々のマグネットを上部ピース、下部マグネット群を構成する個々のマグネットを下部ピースと呼ぶときに、上部ピース個々に接する下部ピース個々の極性を逆に配列したことを特徴とする。
上部ピース個々に接する下部ピース個々の極性を逆に配列することで、上部マグネット群と下部マグネット群とで、相対する磁界を形成することができる。この結果、水の磁気化を促進することができる。
【００１４】
【発明の実施の形態】
本発明の実施の形態を添付図に基づいて以下に説明する。なお、図面は符号の向きに見るものとする。
図１は本発明に係る浄水器の接続状態を示す斜視図であり、浄水器１０は、水栓１１にプレフィルタ付き切換えコック１２を取付け、この切換えコック１２に給水ホース１３を介して給水口１４を接続し、切換えコック１２に吐水ホース１５を介して吐水口１６を接続するものであって、切換えコック１２から給水ホース１３を経由させて水道水などの原水を浄水器１０に注入し、この浄水器１０で浄化した浄水を吐水ホース１５を経由させて切換えコック１２に戻し、この切換えコック１２から浄水を吐水させる。
【００１５】
切換えコック１２は、水道水など原水を浄水器１０に注入するモードと、原水を直接的に吐水させるモードとの切換えの役目をなすとともに、プレフィルタ付き切換えコック１２のプレフィルタ１７は、水道水などの原水に含まれるやや大きめの水あかや赤さびなどを事前に取り去る役目をなす。
本発明に係る浄水器１０は、後述するように、棒状のマグネットを水の流れ方向に沿って縦長に配列することで、組立性の向上を図った浄水器である。
【００１６】
図２は図１の２−２線断面図であり、浄水器１０の正面断面を示す。ただし、吐水口１６の向きを１８０゜変えて図示した。
浄水器１０は、基部となる容器台２１と、この容器台２１に取付ける容器２２と、この容器２２を容器台２１に固定するための取付けリング２３と、容器に充填する濾過材２４と、容器２２に収納するマグネットユニット２５と、このマグネットユニット２５に貫通させるセンタパイプ２６と、このセンタパイプ２６の上部に取付けた上部支持部材２７と、容器２２及び容器台２１の上部を覆う筒状カバー２８と、からなり、給水口１４及び吐水口１６を備えた容器２２に濾過材２４及びマグネット７５・・・（マグネットユニット２５）を収納し、これらの濾過材２４及びマグネット７５・・・に給水口１４から給水した原水を通し、この原水を浄化及び活性化して吐水口１６から浄水を吐水させる浄水器において、後述するように、マグネットユニット２５のマグネット７５・・・に棒状のものを用い、これらのマグネット７５・・・を水の流れ方向に沿って縦長に配列するものである。
【００１７】
容器台２１は、容器２２を取付ける上部ベース３１と、この上部ベース３１に取付ける下部ベース３２と、この下部ベース３２に取付ける給水口／吐水口ユニット３３と、からなる。
容器２２は、ステンレス若しくは樹脂材料で形成することが好ましい。
【００１８】
上部ベース３１は、容器２２を固定する本体部３５と、センタパイプ２６を取付けるインナジョイント３６と、このインナジョイント３６を本体部３５に一体的に取付けるアウタジョイント３７と、からなる。
なお、本体部３５は、インナジョイント３６に連通させる上部連通孔３８・・・（・・・は複数個を示す。以下同じ）を備え、インナジョイント３６は、上部連通孔３８・・・に連通させるインナ連通孔３９・・・を備える。
【００１９】
給水口／吐水口ユニット３３は、アウタジョイント３７に接続する給水口パイプ部４１と、インナジョイント３６に接続する吐水口パイプ部４２と、これらの給水パイプ部４１及び吐水パイプ部４２を支持する支持部材４３と、この支持部材４３の底４３ａを覆う裏蓋４４と、を備える。
【００２０】
給水パイプ部４１は、先端に給水口１４を形成し、この給水口１４に給水ホース１３（図１参照）を取付けるために給水リング４６を着脱自在に取付けたものであり、吐水パイプ部４２は、先端に吐水口１６を形成し、この吐水口１６に吐水ホース１５（図１参照）を取付けるために吐水リング４８を着脱自在に取付けたものである。
【００２１】
図中、５１，５１は容器２２と本体部３５をシールするＯリング、５２は本体部３５とアウタジョイント３７をシールするＯリング、５３はアウタジョイント３７と給水パイプ部４１とをシールするＯリング、５４はインナジョイント３６と吐水パイプ部４２をシールするＯリング、５５・・・は本体部３５にアウタジョイント３７を止める止めねじ、５６は下部ベース３２に給水口／吐水口ユニット３３を止める止めねじを示す。
【００２２】
図３は本発明に係る浄水器のマグネットユニットの分解斜視図であり、マグネットユニット２５は、水の磁気化を図るマグネット組立体５７と、このマグネット組立体５７を収納するマグネットケース５８と、このマグネットケース５８に被せるマグネット蓋５９と、からなる。
【００２３】
マグネット組立体５７は、マグネット群としての上部マグネット群６１，６１と、これらの上部マグネット群６１，６１に吸着させたマグネット群としての下部マグネット群６２，６２と、からなり、これらの上部マグネット群６１，６１及び下部マグネット群６２，６２を交互に段積みしたものである。
【００２４】
マグネットケース５８は、マグネット組立体５７を収納する外筒部６３と、この外筒部６３に形成することでマグネット蓋５９に嵌合させる嵌合突起６４・・・と、上部・下部マグネット群６１，６１，６２，６２を貫通させるとともにセンタパイプ２６に貫通させる内筒部６５と、水を通過させるための複数の通水孔６６・・・と、を備える。
【００２５】
外筒部６３は、外形を容器２２（図２参照）に沿わせるように円筒に形成し、内側をマグネット組立体５７の外形に沿わせるように略正六角形に形成したものである。なお、６７は外筒部６３に嵌めるＯリング、６８は内筒部６５に嵌めるＯリングである。
マグネット蓋５９は、マグネットケース５８の嵌合突起６４・・・に嵌める嵌合孔７１・・・と、水を通過させるための通水孔７２・・・と、を備える。
【００２６】
図４は本発明に係る浄水器のマグネット組立体の分解斜視図である。
上部マグネット群６１は、所定の方向に棒状のマグネット７５・・・を略正六角形に吸着するとともに中心に空洞７３を空けて組合わせたものであり、マグネット７５・・・を水の流れ方向に沿って縦長に配列するものである。また、マグネット７５は、棒状を呈し、断面視で一方の半円部分７６をＮ極に着磁し、他方の半円部分７７をＳ極に着磁したものである。
すなわち、上部マグネット群６１は、マグネット７５・・・の円筒面７８・・・同士を吸着させることで、略正六角形に組合わせるものと言える。
【００２７】
下部マグネット群６２は、上部マグネット群６１に吸着できるように、マグネット７５・・・を略正六角形に吸着するとともに中心に空洞７４を空けて組合わせたものである。なお、マグネット７５・・・は、上部マグネット群６１に使用したマグネット７５・・・と同一の部品である。
【００２８】
言い換えれば、下部マグネット群６２は、上部マグネット群６１を構成する個々のマグネット７５を上部ピース７５Ａ、下部マグネット群６２を構成する個々のマグネット７５を下部ピース７５Ｂとすれば、上部ピース７５Ａ・・・個々に接する下部ピース７５Ｂ・・・個々の極性を逆に配列したものである。
【００２９】
すなわち、浄水器１０（図２参照）は、段積みした上下に隣り合うマグネット群のうちの上部に位置するマグネット群を上部マグネット群６１、下部に位置するマグネット群を下部マグネット群６２と呼び、上部マグネット群６１を構成する個々のマグネット７５を上部ピース７５Ａ、下部マグネット群６２を構成する個々のマグネット７５を下部ピース７５Ｂと呼ぶときに、上部ピース７５Ａ・・・個々に接する下部ピース７５Ｂ・・・個々の極性を逆に配列したものと言うことができる。
【００３０】
上部ピース７５Ａ・・・個々に接する下部ピース７５Ｂ・・・個々の極性を逆に配列することで、上部マグネット群６１と下部マグネット群６２とで、相対する磁界を形成することができる。この結果、水の磁気化を促進することができる。
【００３１】
図５は本発明に係る浄水器のマグネットユニットの斜視図であり、浄水器１０（図２参照）は、マグネット７５を、断面視で一方の半円部分７６をＮ極に着磁し、他方の半円部分７７をＳ極に着磁したものとも言える。
マグネット７５を、断面視で一方の半円部分７６をＮ極に着磁し、他方の半円部分７７をＳ極に着磁することで、後述するように、一つのマグネット７５のＮ極に他のマグネット７５のＳ極を吸着して線状に配列することができ、この線状に並べたマグネット７５・・・を螺旋状にも巻付けることもできる。この結果、複数のマグネット７５・・・を組合わせて扱うことができ、浄水器１０（図２参照）の組立時間の短縮を図ることができる。
【００３２】
また、浄水器１０（図２参照）は、上部・下部マグネット群６１，６２（６２は不図示）を、マグネット７５・・・の円筒面７８・・・同士を吸着させることで、略正六角形に組合わせたものとも言える。
上部・下部マグネット群６１，６２（６２は不図示）を、マグネット７５・・・の円筒面７８・・・同士を吸着させ、略正六角形に組合わせることで、複数のマグネット７５・・・をマグネット７５・・・のみで一体的に組立てることができる。この結果、例えば、マグネット７５・・・を配列するための部材（ホルダ等）を必要としないので、浄水器１０のコストの低減を図ることができる。
【００３３】
図６は本発明に係る浄水器のマグネットユニットの内部断面を示す斜視図であり、マグネット７５・・・に棒状のものを用い、マグネット７５・・・を水の流れ方向に沿って縦長に配列したことを示す。
すなわち、マグネット７５・・・に棒状のものを用い、マグネット７５・・・を水の流れ方向に沿って縦長に配列することで、リング状にマグネット７５・・・を配列する場合にも、１種類のマグネット７５・・・で形成することができ、部品の共通化を図ることができる。この結果、部品管理の簡素化を図ることができる。
【００３４】
また、浄水器１０（図２参照）は、上部・下部マグネット群６１，６２を、複数個段積みしたものとも言える。
上部・下部マグネット群６１，６２を、複数個段積みすることで、水を磁気化することで活性化するエリアを容易に増やすことができる。
なお、矢印Ａは給水の流れの一例を示し、マグネット７５・・・同士の隙間をぬって通水可能であることを示す。また、矢印Ｂは吐水の流れを示す。
【００３５】
以上に述べた浄水器１０（図２参照）の作用を次に説明する。
図７（ａ）〜（ｃ）は本発明に係る浄水器の作用説明図（その１）であり、上部マグネット群６１（図４参照）の組立手順の一例を示す。
（ａ）において、所定数のマグネット７５・・・の円筒面７８・・・同士を吸着させで一列に配列する。
（ｂ）において、マグネット７５・・・と同径の棒状治具７９に、一列に配列したマグネット７５・・・を反時計方向に矢印ｂ１の如く巻き付ける。
【００３６】
（ｃ）において、マグネット７５・・・を、更に螺旋状に矢印ｃ１の如く巻き付けて上部マグネット群６１を完成し、この上部マグネット群６１から棒状治具７９を矢印ｃ２の如く抜き取る。
【００３７】
上部マグネット群６１は、棒状治具７９を抜き取っても、マグネット７５・・・の円筒面７８・・・同士が吸着し、所定の略正六角形を保つことができる。この結果、マグネット７５・・・を配列するための部材（ホルダ等）を必要としないので、浄水器１０のコストの低減を図ることができる。
なお、図３に示すマグネットケース５８の内筒部６５の外径は、棒状治具７９の外径と略同一径であるものとする。
【００３８】
図８（ａ）〜（ｃ）は本発明に係る浄水器の作用説明図（その２）であり、下部マグネット群６２（図４参照）の組立手順の一例を示す。
（ａ）において、所定数のマグネット７５・・・の円筒面７８・・・同士を吸着させで一列に配列する（図７（ａ）と同一に配列）。
（ｂ）において、マグネット７５・・・と同径の棒状治具７９に、一列に配列したマグネット７５・・・を時計方向に矢印ｂ２の如く巻き付ける。
【００３９】
（ｃ）において、マグネット７５・・・を、更に螺旋状に矢印ｃ３の如く巻き付けて下部マグネット群６２を完成し、この下部マグネット群６２から棒状治具７９を矢印ｃ４の如く抜き取る。
【００４０】
一列に配列したマグネット７５・・・を時計方向に矢印ｂ２の如く巻き付けることで、図７に示す上部マグネット群６１と相対する磁界を容易に形成することができる。
【００４１】
図９は本発明に係る浄水器の原水及び浄水の流れを示す説明図であり、浄水器１０は、給水口１４から入水させた原水を、容器２２の下方から上方に向かってマグネット組立体５７を通過させることで原水の磁気化を進め、濾過材２４を通過させることで原水の浄化を進めるとともにさらにセンタパイプ２６中を上部から下部に向けて流すことでさらなる水の磁気化を進め、浄水を吐水口１６から浄水を吐水させるものであり、マグネット７５・・・に棒状のものを用い、マグネット７５・・・を水の流れ方向に沿って縦長に配列するものなので、１種類のマグネット７５・・・でマグネットユニット２５を形成することができる。この結果、部品の共通化を図ることができる。
【００４２】
図１０は本発明に係る第２の実施の形態の浄水器の正面断面図であり、浄水器１０（図２参照）に使用した部品と同一部品は同一符号を用い詳細な説明は省略する。
図中、１４は給水口、１６は吐水口、２１は容器台、２２は容器、２３は取付けリング、２４は濾過材、２６はセンタパイプ、２７は上部支持部材、２８は筒状カバー、３１は上部ベース、３２は下部ベース、３３は給水口／排水口ユニット、３６はインナジョイント、３７はアウタジョイント、３８は上部連通孔、３９はインナ連通孔、４４は裏蓋、４６は給水リング、４８は吐水リングを示す。
【００４３】
浄水器９０は、上部・下部マグネット群６１，６１，６２，６２からなるマグネット組立体５７を直接的にセンタパイプ２６にセットしたものである。なお、９１は通水孔９２・・・を形成した上部トレイ、９３は通水孔９４・・・を形成した下部トレイである。
【００４４】
図１１は本発明に係る第２の実施の形態の浄水器の主要部品を示す斜視図であり、浄水器９０は、上部マグネット群６１を、マグネット７５・・・の円筒面７８・・・同士を吸着させ、略正六角形に組合わせることで、複数のマグネット７５・・・をマグネット７５・・・のみで一体的に組立てることができる（下部マグネット群６２も同様）。この結果、マグネット７５・・・を配列するための部材を必要としないので、浄水器９０のコストの低減を図ることができる。
【００４５】
尚、実施の形態では図４に示すように、マグネット組立体５７は、２つの上部マグネット群６１，６１及び２つの下部マグネット群６２，６２とで構成したが、これに限るものではなく、上部マグネット群若しくは下部マグネット群のどちらか一方を１組でもよく、又上部マグネット群及び下部マグネット群の組合わせの数は任意である。
【００４６】
【発明の効果】
本発明は上記構成により次の効果を発揮する。
請求項１では、マグネットに棒状のものを用い、マグネットを水の流れ方向に沿って縦長に配列したので、例えば、リング状にマグネットを配列する場合にも、１種類のマグネットで形成することができ、部品の共通化を図ることができる。この結果、部品管理の簡素化を図ることができる。
【００４７】
請求項２では、マグネットを、断面視で一方の半円部分をＮ極に着磁し、他方の半円部分をＳ極に着磁したので、例えば、一つのマグネットのＮ極に他のマグネットのＳ極を吸着して線状に配列することができ、この線状に並べたマグネットを螺旋状にも巻付けることもできる。この結果、複数のマグネットを組合わせて扱うことができ、浄水器の組立時間の短縮を図ることができる。
【００４８】
請求項３では、マグネット群を、マグネットの円筒面同士を吸着させることで、略正六角形に組合わせたので、複数のマグネットをマグネットのみで一体的に組立てることができる。この結果、マグネットを配列するために、例えば、部材を必要としないので、浄水器のコストの低減を図ることができる。
【００４９】
請求項４では、マグネット群を、複数個段積みしたので、水を磁気化することで活性化するエリアを容易に増やすことができる。
【００５０】
請求項５では、段積みした上下に隣り合うマグネット群のうちの上部に位置するマグネット群を上部マグネット群、下部に位置するマグネット群を下部マグネット群と呼び、上部マグネット群を構成する個々のマグネットを上部ピース、下部マグネット群を構成する個々のマグネットを下部ピースと呼ぶときに、上部ピース個々に接する下部ピース個々の極性を逆に配列したので、上部マグネット群と下部マグネット群とで、相対する磁界を形成することができる。この結果、水の磁気化を促進することができる。
【図面の簡単な説明】
【図１】本発明に係る浄水器の接続状態を示す斜視図
【図２】図１の２−２線断面図
【図３】本発明に係る浄水器のマグネットユニットの分解斜視図
【図４】本発明に係る浄水器のマグネット組立体の分解斜視図
【図５】本発明に係る浄水器のマグネットユニットの斜視図
【図６】本発明に係る浄水器のマグネットユニットの内部断面を示す斜視図
【図７】本発明に係る浄水器の作用説明図（その１）
【図８】本発明に係る浄水器の作用説明図（その２）
【図９】本発明に係る浄水器の原水及び浄水の流れを示す説明図
【図１０】本発明に係る第２の実施の形態の浄水器の正面断面図
【図１１】本発明に係る第２の実施の形態の浄水器の主要部品を示す斜視図
【図１２】特開平１０−２０２２６６号公報の図２の再掲図
【符号の説明】
１０，９０…浄水器、１４…給水口、１６…吐水口、２２…容器、２４…濾過材、６１，６２…マグネット群（上部・下部マグネット群）、７５…マグネット、７５Ａ…上部ピース、７５Ｂ…下部ピース、７６…一方の半円部分、７７…他方の半円部分、７８…円筒面。
【図１】
2004298664.tif 000003
【図２】
2004298664.tif 000004
【図３】
2004298664.tif 000005
【図４】
2004298664.tif 000006
【図５】
2004298664.tif 000007
【図６】
2004298664.tif 000008
【図７】
2004298664.tif 000009
【図８】
2004298664.tif 000010
【図９】
2004298664.tif 000011
【図１０】
2004298664.tif 000012
【図１１】
2004298664.tif 000013
【図１２】
2004298664.tif 000014